(57)【要約】【課題】コンテンツに関連する情報を短時間で大量に確認することができる通信装置およびプログラムを提供すること。【解決手段】印刷用紙に印刷された印刷ページに記載されたコンテンツタイトル文字列をＭＦＰ１０のユーザが確認する時間は、同一量のコンテンツタイトル文字列を、表示パネル５０にスクロール表示して確認する時間、或いは、表示パネル５０に断片的に固定表示してその固定表示を順次切り換えて確認する時間よりも、短時間となる。よって、印刷用紙に印刷された印刷ページを確認することで、ユーザーは、コンテンツタイトル文字列を短時間で大量に確認することができる。【選択図】図４
2010152793.tif 000002
【特許請求の範囲】
【請求項１】
コンテンツの位置情報とコンテンツのタイトル情報とを少なくとも含むコンテンツ関連情報の位置情報である関連位置情報が示す装置にアクセス可能な通信装置であって、
前記関連位置情報を複数記憶可能な位置情報記憶手段と、
その位置情報記憶手段に記憶された関連位置情報が示す装置の各々から前記コンテンツ関連情報を取得する関連情報取得手段と、
その関連情報取得手段により取得されたコンテンツ関連情報に含まれる情報を順次切り換えて表示可能な表示手段と、
その表示手段に表示される前記情報の印刷指示を受け付ける受付手段と、
その受付手段により前記印刷指示が受け付けられた場合に、前記関連情報取得手段により取得されたコンテンツ関連情報を使用して、そのコンテンツ関連情報に含まれる情報から構成される第１情報を記載したウェブページを生成する第１生成手段と、
その第１生成手段により生成されるウェブページを、外部装置からのアクセスが可能な記憶装置に記憶させる記憶手段と、
前記記憶装置に記憶されたウェブページへの前記外部装置によるアクセスを可能にするウェブ位置情報を、前記ウェブページに割り当てる割当手段と、
前記第１生成手段により生成されるウェブページに記載される第１情報に対応する第２情報を記載した印刷ページを生成する第２生成手段と、
前記割当手段により前記ウェブページに割り当てられたウェブ位置情報を前記第２生成手段により生成された印刷ページに付加する第１付加手段と、
前記ウェブ位置情報が前記第１付加手段により前記印刷ページに付加された印刷ページを、印刷媒体への印刷が可能な印刷手段に印刷させる第１制御手段とを備えていることを特徴とする通信装置。
【請求項２】
前記第１生成手段により生成されるウェブページに記載される第１情報は、前記第２生成手段により生成される印刷ページに記載される第２情報よりも、情報量が多いことを特徴とする請求項１記載の通信装置。
【請求項３】
前記第１生成手段により生成されるウェブページに記載される第１情報は、コンテンツの位置情報とコンテンツのタイトル情報とを少なくとも含んでおり、
前記第２生成手段により生成される印刷ページに記載される第２情報は、前記コンテンツのタイトル情報を少なくとも含んでいることを特徴とする請求項２記載の通信装置。
【請求項４】
前記受付手段により前記印刷指示が受け付けられた場合に、予め定められた印刷媒体の数よりも少ない数で、前記記憶装置に記憶されたウェブページが印刷可能であるか否かを判定する第１判定手段と、
その第１判定手段により前記ウェブページが前記印刷媒体の数よりも少ない数で印刷可能であると判定された場合に、前記記憶装置に記憶されたウェブページに、前記ウェブ位置情報を付加する第２付加手段と、
前記第１制御手段による制御に代えて、前記第２付加手段により前記ウェブ位置情報が付加されたウェブページを前記印刷手段に印刷させる第２制御手段とを備えていることを特徴とする請求項１から３のいずれかに記載の通信装置。
【請求項５】
前記第１判定手段により前記ウェブページが前記印刷媒体の数を越えて印刷されると判定された場合に、前記予め定められた印刷媒体の数よりも少ない数で、前記第２生成手段により生成された印刷ページが印刷可能であるか否かを判定する第２判定手段と、
その第２判定手段により前記印刷ページが前記予め定められた印刷媒体の数を超えて印刷されると判定された場合に、前記設定された印刷媒体の数を超える印刷ページに含まれている第２情報が存在することを示す存在情報を、前記印刷ページに付加する第３付加手段と、
前記第２判定手段により前記印刷ページが前記印刷媒体の数を超えて印刷されると判定された場合に、前記第２制御手段による制御に代えて、前記存在情報が付加された印刷ページを前記設定された印刷媒体の数で前記印刷手段に印刷させる第３制御手段とを備えていることを特徴とする請求項４記載の通信装置。
【請求項６】
前記第１生成手段により生成されるウェブページに記載される第１情報は、コンテンツの位置情報とコンテンツのタイトル情報とを少なくとも含んでおり、
前記第１生成手段により生成されたウェブページが前記記憶装置に記憶できないことを検出する検出手段と、
前記生成されたウェブページが記憶できないことが前記検出手段により検出された場合に、前記印刷ページに、その印刷ページに記載されている前記コンテンツのタイトル情報に対応した前記コンテンツの位置情報を付加する第４付加手段と、
請求項１から３に従属する場合には前記第１制御手段による制御に代えて、請求項４に従属する場合には前記第２制御手段による制御に代えて、請求項５に従属する場合には前記第３制御手段による制御に代えて、前記第４付加手段により前記コンテンツの位置情報が付加された印刷ページを、前記印刷手段を制御して前記印刷媒体に印刷させる第４制御手段とを備えていることを特徴とする請求項１から５に記載の通信装置。
【請求項７】
前記通信装置を使用するユーザに対応して、前記第１生成手段による前記ウェブページの生成に使用するコンテンツ関連情報を設定可能な関連情報設定手段を備えていることを特徴とする請求項１から６のいずれかに記載の通信装置。
【請求項８】
コンテンツの位置情報とコンテンツのタイトル情報とを少なくとも含むコンテンツ関連情報の位置情報である関連位置情報が示す装置にアクセス可能な通信装置に実行させるプログラムであって、
位置情報記憶手段に記憶された関連位置情報が示す装置の各々から前記コンテンツ関連情報を取得する関連情報取得ステップと、
その関連情報取得ステップにより取得されたコンテンツ関連情報に含まれる情報を順次切り換えて表示可能な表示手段に表示される前記情報の印刷指示を受け付ける受付ステップと、
その受付ステップにより前記印刷指示が受け付けられた場合に、前記関連情報取得ステップにより取得されたコンテンツ関連情報を使用して、そのコンテンツ関連情報に含まれる情報から構成される第１情報を記載したウェブページを生成する第１生成ステップと、
その第１生成ステップにより生成されるウェブページを、外部装置からのアクセスが可能な記憶装置に記憶させる記憶ステップと、
前記記憶装置に記憶されたウェブページへの前記外部装置によるアクセスを可能にするウェブ位置情報を、前記ウェブページに割り当てる割当ステップと、
前記第１生成ステップにより生成されるウェブページに記載される第１情報に対応する第２情報を記載した印刷ページを生成する第２生成ステップと、
前記割当ステップにより前記ウェブページに割り当てられたウェブ位置情報を前記第２生成ステップにより生成された印刷ページに付加する第１付加ステップと、
前記ウェブ位置情報が前記第１付加ステップにより前記印刷ページに付加された印刷ページを、印刷媒体への印刷が可能な印刷手段に印刷させる第１制御ステップとを、前記通信装置に実行させることを特徴とするプログラム。
【発明の詳細な説明】
【技術分野】
【０００１】
本発明は、通信装置およびプログラムに関するものである。
【背景技術】
【０００２】
様々なコンテンツがネットワーク上で公開されている。各コンテンツのタイトルと各コンテンツのＵＲＬとを含むコンテンツ関連情報を公開しているサーバが存在する。コンテンツ関連情報の一例として、例えば、フィード情報（Ｆｅｅｄ）を挙げることができる。フィード情報のフォーマットとしては、例えば、ＲＳＳやＡｔｏｍが存在する。下記の非特許文献１には、サーバのＵＲＬにアクセスし、そのサーバからフィード情報を取得して各コンテンツのタイトルを生成し、表示するためのソフトウェアが開示されている。
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００３】
上述した非特許文献１に開示されたソフトウェアを、プリンタ機能やスキャナ機能を有するＭＦＰ（Ｍｕｌｔｉｆｕｎｃｔｉｏｎ  Ｐｅｒｉｐｈｅｒａｌ）に応用した場合には、コンテンツに関連する情報（例えば、コンテンツのタイトル、コンテンツの要約記事、コンテンツの更新日時、またはコンテンツのＵＲＬ等）が表示装置にスクロール表示される。よって、ユーザが、コンテンツに関連する情報を大量に確認したい場合には、そのコンテンツに関連する情報が全てスクロール表示されるまで（順次切り換えて表示されるまで）、表示装置を見続ける等して、長時間待機しておかなければならないという問題点があった。
【０００４】
また、コンテンツに関連する情報を、スクロール表示ではなく、ＭＦＰ１０の表示装置に固定表示できる場合であっても、表示装置の表示領域は比較的狭い領域であることから、一度に表示できる情報が限られる、よって、コンテンツに関連する情報を大量に確認したい場合には、コンテンツに関連する情報の断片的な情報を、固定表示を順次切り換えることで確認しなければならない。従って、ユーザは、コンテンツに関連する情報を大量に確認したい場合には、そのコンテンツに関連する情報が全て表示できるまで、表示の切り換え操作を行なう等して、長時間を費やさなければならないという問題点があった。
【０００５】
本発明は上述した問題点を解決するためになされたものであり、ユーザに、コンテンツに関連する情報を短時間で大量に確認させることができる通信装置およびプログラムを提供することを目的とする。
【課題を解決するための手段】
【０００６】
この目的を達成するために請求項１記載の通信装置は、コンテンツの位置情報とコンテンツのタイトル情報とを少なくとも含むコンテンツ関連情報の位置情報である関連位置情報が示す装置にアクセス可能なものであり、前記関連位置情報を複数記憶可能な位置情報記憶手段と、その位置情報記憶手段に記憶された関連位置情報が示す装置の各々から前記コンテンツ関連情報を取得する関連情報取得手段と、その関連情報取得手段により取得されたコンテンツ関連情報に含まれる情報を順次切り換えて表示可能な表示手段と、その表示手段に表示される前記情報の印刷指示を受け付ける受付手段と、その受付手段により前記印刷指示が受け付けられた場合に、前記関連情報取得手段により取得されたコンテンツ関連情報を使用して、そのコンテンツ関連情報に含まれる情報から構成される第１情報を記載したウェブページを生成する第１生成手段と、その第１生成手段により生成されるウェブページを、外部装置からのアクセスが可能な記憶装置に記憶させる記憶手段と、前記記憶装置に記憶されたウェブページへの前記外部装置によるアクセスを可能にするウェブ位置情報を、前記ウェブページに割り当てる割当手段と、前記第１生成手段により生成されるウェブページに記載される第１情報に対応する第２情報を記載した印刷ページを生成する第２生成手段と、前記割当手段により前記ウェブページに割り当てられたウェブ位置情報を前記第２生成手段により生成された印刷ページに付加する第１付加手段と、前記ウェブ位置情報が前記第１付加手段により前記印刷ページに付加された印刷ページを、印刷媒体への印刷が可能な印刷手段に印刷させる第１制御手段とを備えている。
【０００７】
なお、関連位置情報は、コンテンツ関連情報の位置を特定することができるあらゆる情報を含む概念である。関連位置情報の一例として、例えば、ＵＲＬ（Ｕｎｉｆｏｒｍ  Ｒｅｓｏｕｒｃｅ  Ｌｏｃａｔｏｒ）等を挙げることができる。また、コンテンツ関連情報に含まれる情報とは、例えば、コンテンツのタイトル、コンテンツの要約記事、コンテンツの更新日時、またはコンテンツのＵＲＬ等の各情報が例示される。また、コンテンツのタイトルは、コンテンツの全体の文字列よりも少ない文字列であって、コンテンツの内容を反映している文字列を意味している。更に、コンテンツの位置情報は、コンテンツの位置を特定することができるあらゆる情報を含む概念である。
【０００８】
また、第１情報に対応する第２情報とは、ウェブページに記載された第１情報のうちの一部の情報、即ち、第１情報に含まれる情報の一部の情報を意味している。
【０００９】
請求項２記載の通信装置は、請求項１記載の通信装置において、前記第１生成手段により生成されるウェブページに記載される第１情報は、前記第２生成手段により生成される印刷ページに記載される第２情報よりも、情報量が多いものである。
【００１０】
請求項３記載の通信装置は、請求項２記載の通信装置において、前記第１生成手段により生成されるウェブページに記載される第１情報は、コンテンツの位置情報とコンテンツのタイトル情報とを少なくとも含んでおり、前記第２生成手段により生成される印刷ページに記載される第２情報は、前記コンテンツのタイトル情報を少なくとも含んでいる。
【００１１】
請求項４記載の通信装置は、請求項１から３のいずれかに記載の通信装置において、前記受付手段により前記印刷指示が受け付けられた場合に、予め定められた印刷媒体の数よりも少ない数で、前記記憶装置に記憶されたウェブページが印刷可能であるか否かを判定する第１判定手段と、その第１判定手段により前記ウェブページが前記印刷媒体の数よりも少ない数で印刷可能であると判定された場合に、前記記憶装置に記憶されたウェブページに、前記ウェブ位置情報を付加する第２付加手段と、前記第１制御手段による制御に代えて、前記第２付加手段により前記ウェブ位置情報が付加されたウェブページを前記印刷手段に印刷させる第２制御手段とを備えている。
【００１２】
請求項５記載の通信装置は、請求項４記載の通信装置において、前記第１判定手段により前記ウェブページが前記印刷媒体の数を越えて印刷されると判定された場合に、前記予め定められた印刷媒体の数よりも少ない数で、前記第２生成手段により生成された印刷ページが印刷可能であるか否かを判定する第２判定手段と、その第２判定手段により前記印刷ページが前記予め定められた印刷媒体の数を超えて印刷されると判定された場合に、前記設定された印刷媒体の数を超える印刷ページに含まれている第２情報が存在することを示す存在情報を、前記印刷ページに付加する第３付加手段と、前記第２判定手段により前記印刷ページが前記印刷媒体の数を超えて印刷されると判定された場合に、前記第２制御手段による制御に代えて、前記存在情報が付加された印刷ページを前記設定された印刷媒体の数で前記印刷手段に印刷させる第３制御手段とを備えている。なお、存在情報は、例えば、設定された印刷媒体の数を超える印刷ページに含まれている第２情報の記載件数を示す情報や、印刷媒体の数を超える印刷ページに含まれている第２情報が存在する旨の情報が例示される。
【００１３】
請求項６記載の通信装置は、請求項１から５に記載の通信装置において、前記第１生成手段により生成されるウェブページに記載される第１情報は、コンテンツの位置情報とコンテンツのタイトル情報とを少なくとも含んでおり、前記第１生成手段により生成されたウェブページが前記記憶装置に記憶できないことを検出する検出手段と、前記生成されたウェブページが記憶できないことが前記検出手段により検出された場合に、前記印刷ページに、その印刷ページに記載されている前記コンテンツのタイトル情報に対応した前記コンテンツの位置情報を付加する第４付加手段と、請求項１から３に従属する場合には前記第１制御手段による制御に代えて、請求項４に従属する場合には前記第２制御手段による制御に代えて、請求項５に従属する場合には前記第３制御手段による制御に代えて、前記第４付加手段により前記コンテンツの位置情報が付加された印刷ページを、前記印刷手段を制御して前記印刷媒体に印刷させる第４制御手段とを備えている。
【００１４】
請求項７記載の通信装置は、請求項１から６のいずれかに記載の通信装置において、前記通信装置を使用するユーザに対応して、前記第１生成手段による前記ウェブページの生成に使用するコンテンツ関連情報を設定可能な関連情報設定手段を備えている。
【００１５】
請求項８記載のプログラムは、コンテンツの位置情報とコンテンツのタイトル情報とを少なくとも含むコンテンツ関連情報の位置情報である関連位置情報が示す装置にアクセス可能な通信装置に実行させるものであり、位置情報記憶手段に記憶された関連位置情報が示す装置の各々から前記コンテンツ関連情報を取得する関連情報取得ステップと、その関連情報取得ステップにより取得されたコンテンツ関連情報に含まれる情報を順次切り換えて表示可能な表示手段に表示される前記情報の印刷指示を受け付ける受付ステップと、その受付ステップにより前記印刷指示が受け付けられた場合に、前記関連情報取得ステップにより取得されたコンテンツ関連情報を使用して、そのコンテンツ関連情報に含まれる情報から構成される第１情報を記載したウェブページを生成する第１生成ステップと、その第１生成ステップにより生成されるウェブページを、外部装置からのアクセスが可能な記憶装置に記憶させる記憶ステップと、前記記憶装置に記憶されたウェブページへの前記外部装置によるアクセスを可能にするウェブ位置情報を、前記ウェブページに割り当てる割当ステップと、前記第１生成ステップにより生成されるウェブページに記載される第１情報に対応する第２情報を記載した印刷ページを生成する第２生成ステップと、前記割当ステップにより前記ウェブページに割り当てられたウェブ位置情報を前記第２生成ステップにより生成された印刷ページに付加する第１付加ステップと、前記ウェブ位置情報が前記第１付加ステップにより前記印刷ページに付加された印刷ページを、印刷媒体への印刷が可能な印刷手段に印刷させる第１制御ステップとを、前記通信装置に実行させる。
【発明の効果】
【００１６】
請求項１記載の通信装置によれば、ユーザに対し、外部装置で第１情報を確認させることが可能になると共に、印刷媒体で第２情報を確認させることが可能となる。ここで、ウェブページに記載された第１情報を外部装置で確認する時間は、通常、同じ第１情報を表示手段で順次切り換えて確認する時間よりも短時間となる。また、ウェブページに記載された第１情報を単位時間当たりに確認できる量は、通常、外部装置で確認を行なう方が、表示手段の表示を順次切り換えて確認を行なうよりも、大量となる。よって、記憶装置に記憶されたウェブページへ外部装置からアクセスすることで、ユーザに、第１情報、即ち、コンテンツ関連情報に含まれる情報を短時間で大量に確認させることができる。
【００１７】
また、印刷ページに記載される第２情報を印刷媒体で確認する時間は、通常、同じ第２情報を表示手段で順次切り換えて確認する時間よりも短時間となる。また、印刷ページに記載された第２情報を単位時間当たりに確認できる量は、通常、外部装置で確認を行なう方が、表示手段の表示を順次切り換えて確認を行なうよりも、大量となる。よって、印刷媒体に印刷された印刷ページを確認することで、第２情報、即ち、コンテンツ関連情報に含まれる情報を短時間で大量に確認することができる。従って、請求項１の通信装置によれば、ユーザに、コンテンツ関連情報に含まれる情報を短時間で大量に確認させることができるという効果がある。
【００１８】
請求項２記載の通信装置によれば、請求項１記載の通信装置の奏する効果に加え、ユーザは、外部装置からウェブページにアクセスすることで、第２情報よりも多量の第１情報、即ち、コンテンツ関連情報に含まれる情報を確認できる一方、印刷ページに記載される第２情報の情報量を抑制することで、印刷ページの印刷に使用される印刷媒体の数を抑制することができるという効果がある。
【００１９】
請求項３記載の通信装置によれば、請求項２記載の通信装置の奏する効果に加え、外部装置は、ウェブページにアクセスした後、ウェブページに記載されたコンテンツの位置情報を利用して、所望のコンテンツに容易にアクセスすることができるという効果がある。また、印刷ページに記載される第２情報は、コンテンツのタイトル情報を少なくとも含んでいるので、ユーザは、印刷ページが印刷された印刷媒体により、コンテンツのタイトルの一覧を容易に確認することができるという効果がある。
【００２０】
請求項４記載の通信装置によれば、請求項１から３のいずれかに記載の通信装置の奏する効果に加え、予め定められた印刷媒体の数よりも少ない数の印刷媒体で記憶装置に記憶されたウェブページが印刷可能である場合には、ウェブページを印刷媒体に印刷することができる。よって、ユーザは、印刷手段により使用される印刷媒体の数を抑制した上で、印刷媒体に印刷されたウェブページを確認して、記憶装置に記憶されたウェブページの内容を把握することができるという効果がある。また、印刷媒体に印刷されたウェブページにはウェブ位置情報が付加されているので、このウェブ位置情報を利用して、ユーザは、外部装置からウェブページに容易にアクセスすることができるという効果がある。
【００２１】
請求項５記載の通信装置によれば、印刷媒体に印刷された印刷ページに、印刷されなかった第２情報が存在することを示す存在情報（例えば、印刷されなかった第２情報の記載件数（残件数））を印刷することができる。従って、請求項４記載の通信装置の奏する効果に加え、ユーザは、印刷媒体を閲覧することで、印刷媒体に印刷されなかった第２情報が存在することに容易に気づくことができる。ここで、印刷ページに記載される第２情報は、第１情報と対応しているので、例えば、残件数を印刷する場合、印刷媒体に記載された第２情報の件数と残件数との合計件数は、第１生成手段が生成したウェブページに記載される第１情報の件数と同一である。従って、設定手段により設定された印刷媒体の数に抑制して印刷ページを印刷しても、ウェブページに記載されている第１情報の件数が全部で何件であるかを把握することができるという効果がある。
【００２２】
請求項６記載の通信装置によれば、請求項１から５のいずれかに記載の通信装置の奏する効果に加え、ウェブページが記憶装置に記憶できず、外部装置によりウェブページにアクセスできない場合であっても、印刷媒体に印刷されたコンテンツの位置情報を利用して、ユーザは、外部装置から各コンテンツへ容易にアクセスすることができるという効果がある。
【００２３】
請求項７記載の通信装置によれば、請求項１から６のいずれかに記載の通信装置の奏する効果に加え、ウェブページに記載される第１情報および印刷ページに記載される第２情報をユーザ毎に変更することができるという効果がある。
【００２４】
請求項８記載のプログラムによれば、請求項１の通信装置と同様な効果を奏することができる。
【発明を実施するための最良の形態】
【００２５】
以下、本発明の好ましい実施形態について、添付図面を参照して説明する。図１は、本発明の一実施形態におけるＭＦＰシステム２の概略を示した図である。ＭＦＰシステム２は、ＭＦＰ（Ｍｕｌｔｉｆｕｎｃｔｉｏｎ  Ｐｅｒｉｐｈｅｒａｌ）１０と複数の携帯電話機（以下、「ＣＰ」と称す）７０，７１と複数のコンテンツ提供サーバ９０，９１とを有している。なお、図１では、１つのＭＦＰ１０と２つのＣＰ７０，７１と２つのコンテンツ提供サーバ９０，９１としか示されていないが、これらの数は適宜変更することができる。
【００２６】
図１に示すＭＦＰ１０は、印刷機能、スキャナ機能、電話機能等を実現する通信装置であり、ＬＡＮ回線４に接続されている。ＬＡＮ回線４は、ルータ６を介してインターネット８に接続されている。各ＣＰ７０，７１は、インターネット８に接続された基地局６０を介して、ＭＦＰ１０にアクセス可能に構成されている。
【００２７】
各コンテンツ提供サーバ９０，９１は、インターネット８に接続されている。本実施形態では、コンテンツ提供サーバ９０が１つのサイトを公開しており、コンテンツ提供サーバ９１が他の１つのサイトを公開している。各サイトは、複数のコンテンツを含んでいる。さらに、各コンテンツ提供サーバ９０，９１は、自身のサイトが含んでいる複数のコンテンツの関連情報であるフィード情報（ＲＳＳ形式のフィード情報）を記憶している。
【００２８】
ＭＦＰ１０は、制御部１２と表示パネル５０とキーパッド５２と印刷部５４とスキャン部５６とＦＡＸ部５８とネットワークインターフェイス（以後、「ネットワークＩ／Ｆ」と称す）６０とＰＳＴＮインターフェイス（以後、「ＰＳＴＮ  Ｉ／Ｆ」と称す）６２とスピーカ６４とを主に有する。なお、制御部１２と各部５０〜６４とは、バスライン６６を介して互いに接続されている。制御部１２は、ＣＰＵ１４とＲＯＭ１６とＲＡＭ１８とＮＶＲＡＭ２０を主に有する。
【００２９】
ＣＰＵ１４は、演算装置であり、ＲＯＭ１６に記憶されている各プログラム１６ａ，１６ｂに従って処理を実行する。ＲＯＭ１６は、各プログラム１６ａ〜１６ｃを記憶する書き込み不能な不揮発性のメモリである。
【００３０】
基本機能プログラム１６ａは、ＭＦＰ１０の基本的な動作を制御するためのプログラムである。基本機能プログラム１６ａは、例えば、表示パネル５０で表示を行なうための情報（以下、「表示情報」と称す）を生成するためのプログラムを含んでいる。また、基本機能プログラム１６ａは、例えば、印刷部５４、スキャン部５６、ＦＡＸ部５８等の各部５０〜６４を制御するためのプログラムを含んでいる。
【００３１】
インターネット接続プログラム１６ｂは、定期的（例えば、１日毎）にインターネット８へ接続し、コンテンツ提供サーバ９０，９１により提供されるフィード情報を取得するためのプログラムである。
【００３２】
フィード情報利用プログラム１６ｃは、ユーザによるキーパッド５２の操作により起動が行われると、コンテンツ提供サーバ９０，９１から取得されるフィード情報を解析し、表示情報を作成して、その表示情報を表示する処理を実行するプログラムである。フィード情報利用プログラム１６ｃは、作成した表示情報に、フィード情報の取得先、即ち、コンテンツ提供サーバの名称を対応付ける。よって、ＣＰＵ１４は、各表示情報が、何れのコンテンツ提供サーバから提供されたものであるかを特定することができる。
【００３３】
各表示情報は、表示情報の作成に伴い更新される更新コンテンツ情報を含んでいる。更新コンテンツ情報の数は、コンテンツ提供サーバが公開するサイトに含まれるコンテンツの数に等しい。例えば、コンテンツ提供サーバ９０が公開するサイトにスポーツおよびニュースが含まれている場合には、コンテンツ提供サーバ９０に対応付けられた表示情報に含まれる更新コンテンツ情報は、スポーツに対応するものと、ニュースに対応するものとの２つとなる。
【００３４】
更新コンテンツ情報は、コンテンツタイトル文字列、コンテンツ更新日時情報、コンテンツ要約文字列、コンテンツＵＲＬを含んでいる。コンテンツタイトル文字列は、コンテンツのタイトルの文字列である。コンテンツ更新日時情報は、コンテンツ提供サーバ９０，９１においてコンテンツが更新された日時（最新の更新日時）に関する情報である。コンテンツ要約文字列は、コンテンツが有する文字列が要約化されたものである。具体的には、コンテンツ要約文字列は、コンテンツタイトル文字列よりも文字数が多い文字列である一方、コンテンツの全体の文字列より少ない文字列であり、コンテンツの内容が反映された文字列である。コンテンツＵＲＬは、コンテンツの位置情報を示すＵＲＬである。
【００３５】
ＲＡＭ１８は、表示情報記憶領域１８ａを有する読み書き可能な揮発性のメモリである。表示情報記憶領域１８ａは、フィード情報利用プログラム１６ｃがフィード情報を利用して作成した表示情報を記憶する記憶領域である。
【００３６】
ＮＶＲＡＭ２０は、各記憶領域２０ａ〜２０ｃを有する書き換え可能な不揮発性のメモリである。ＵＲＬ記憶領域２０ａは、各コンテンツ提供サーバ９０，９１が有するフィード情報の取得先（位置情報）を示すＵＲＬを記憶するための記憶領域である。
【００３７】
例えば、ユーザは、各コンテンツ提供サーバ９０，９１からのコンテンツ提供サービスを受けるためのＵＲＬ設定を行なう必要がある。このＵＲＬ設定は、表示パネル５０に表示されるサイト設定画面（図示せず）で行なうことができる。サイト設定画面で、コンテンツ提供サーバ９０，９１のフィード情報の取得先を示すＵＲＬが、キーパッド５２を使用してユーザにより設定されると、その設定されたＵＲＬがＵＲＬ記憶領域２０ａに記憶される。
【００３８】
なお、ＵＲＬ設定は、サイト設定画面以外にも、ＣＰ７０，７１を利用して設定してもよい。例えば、ユーザがＣＰ７０を利用してコンテンツ提供サーバ９０からのコンテンツ提供サービスを受けるためのＵＲＬ設定を行なった場合、コンテンツ提供サーバ９０のフィード情報の取得先を示すＵＲＬがＣＰ７０からＭＦＰ１０へ出力される。これにより、コンテンツ提供サーバ９０のフィード情報の取得先を示すＵＲＬがＵＲＬ記憶領域２０ａに記憶されるように構成しても良い。
【００３９】
ユーザ設定記憶領域２０ｂは、ウェブページ記憶領域２０ｃに記憶するウェブページ（図４（ｅ）参照）と、そのウェブページに対応する印刷ページ（図４（ａ）〜（ｄ）のいずれか）とに記載する情報を、ユーザ毎に設定した設定ファイルを記憶する記憶領域である。なお、ウェブページおよび印刷ページは、ユーザ設定記憶領域２０ｂに記憶された設定ファイルと、表示情報記憶領域１８ａに記憶された表示情報とを使用して、ＣＰＵ１４により生成される。なお、ウェブページとは、ウェブブラウザに表示されるデータのまとまりであり、印刷ページとは、一度の印刷命令で印刷用紙に印刷されるデータのまとまりである。
【００４０】
ウェブページ記憶領域２０ｃは、ＣＰＵ１４により生成されたウェブページを記憶する記憶領域である。ウェブページ記憶領域２０ｃに記憶されたウェブページは、ＭＦＰ１０へアクセスを行なったＣＰ７０，７１に対して公開される。ウェブページについては、図４（ｅ）を使用して詳しく説明する。
【００４１】
表示パネル５０は、様々な情報を表示する表示装置である。表示パネル５０の表示領域は比較的狭い領域であるので、表示情報に含まれる情報（例えば、コンテンツタイトル文字列）を、１行の表示形態で順次切り換え表示して（スクロール表示して）、表示情報に含まれる全ての情報を表示している。なお、表示パネル５０には、スクロール表示の他に、表示情報に含まれる情報（例えば、コンテンツタイトル文字列）を例えば、２〜３つ固定表示することができるが、この一度の固定表示で表示できる情報量は、ウェブページ記憶領域２０ｃに記憶されたウェブページの情報量および印刷用紙に印刷される印刷ページの情報量よりも、大幅に少ない。なお、本実施形態では、表示情報に含まれる情報をスクロールさせることで、表示情報に含まれる全ての情報を表示パネル５０に表示したが、表示情報に含まれる情報の一部を断片的に表示パネル５０に固定表示して、その固定表示をキーパッド５２の操作により順次切り換えることで、表示情報に含まれる全ての情報を表示パネル５０に表示しても良い。
【００４２】
キーパッド５２は、複数のキーによって構成される。ユーザは、キーパッド５２を操作することによって様々な指示や情報をＭＦＰ１０に入力することができる。印刷部５４は、インクジェットタイプ、レーザタイプ等の印刷機構を有し、例えば、生成された印刷ページを印刷用紙に印刷する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。よって、ＭＦＰ１０は、インターネット８にアクセス可能である。
【００４３】
ＣＰ７０の内部構成について説明する。なお、ＣＰ７１は、ＣＰ７０と同様の内部構成であるので、その説明を省略する。ＣＰ７０は、ＣＰＵ７２とＮＶＲＡＭ７４と表示部８２と操作部８４と小型カメラ８６とを主に有する。
【００４４】
ＣＰＵ７２は、演算装置であり、基本プログラム７６に従って処理を実行する。ＮＶＲＡＭ７４は、基本プログラム７６を記憶している。基本プログラム７６は、ＣＰ７０の基本的な動作を制御するためのプログラムである。基本プログラム７６は、例えば、インターネット８のサイトからコンテンツをダウンロードして表示するためのブラウザを含んでいる。表示部８２は、様々な情報を表示する表示装置である。操作部８４は、キーボードやマウスによって構成される。小型カメラ８６は、様々な情報を撮影可能な撮影装置である。
【００４５】
次に、図２を参照して、ユーザ設定記憶領域２０ｂ（図１参照）に記憶された設定ファイルの内容について説明する。図２は、設定ファイルの内容の一例を示した図である。設定ファイルは、ウェブページおよび印刷ページの生成に使用する情報から構成されている。具体的には、設定ファイルは、ユーザ名、使用表示情報、ウェブページ掲載項目、ウェブページ掲載件数および印刷ページ使用枚数から構成されている。
【００４６】
ユーザ名は、設定ファイルを設定したユーザの名前を示している。図２においては、設定ファイルを設定したユーザは、「一郎」および「花子」である。なお、設定ファイルに設定されたユーザは、ウェブページおよび印刷ページの生成の指示（以下、「生成指示」と称する）を行なうことができる。
【００４７】
使用表示情報は、ウェブページおよび印刷ページの生成に使用する表示情報を示している。例えば、生成指示を行なったユーザが「一郎」であれば、ＣＰＵ１４は、ウェブページおよび印刷ページの生成に使用する表示情報を、「コンテンツ提供サーバ９０，９１」から取得したフィード情報により生成された表示情報に決定する。その後、ＣＰＵ１４は、ウェブページおよび印刷ページの生成に使用する情報を、決定した表示情報から更に更新コンテンツ情報へ絞り込んでいく。
【００４８】
ウェブページ掲載項目は、絞り込んだ更新コンテンツ情報に含まれる情報のうち、ウェブページに掲載する情報を示している。ウェブページ掲載項目には、更新コンテンツ情報に含まれる情報のうち、コンテンツタイトル文字列、コンテンツ更新日時情報、コンテンツ要約文字列の最大３つの情報を設定することができる。例えば、生成指示を行なったユーザが「一郎」であれば、ウェブページに掲載する情報は、絞り込んだ更新コンテンツ情報に含まれる情報のうち、「コンテンツタイトル文字列」および「コンテンツ要約文字列」となる。なお、本実施形態においては、ウェブページ掲載項目の設定に拘らず、生成されるウェブページには、自動的に、絞り込んだ更新コンテンツ情報に含まれるコンテンツＵＲＬが掲載される。
【００４９】
ウェブページ掲載件数は、ウェブページに掲載する情報の最大掲載数を示している。例えば、生成指示を行なったユーザが「一郎」であれば、「コンテンツタイトル文字列」および「コンテンツ要約文字列」が一組となった情報を１件として、最大「１００」件が、ウェブページに掲載可能となる。
【００５０】
印刷ページ使用枚数は、印刷ページの印刷に使用可能な印刷用紙の最大枚数を示している。例えば、生成指示を行なったユーザが「一郎」であれば、印刷ページの印刷に使用可能な印刷用紙の最大枚数は、「２」枚となる。
【００５１】
上述した通り、ユーザ設定記憶領域２０ｂに記憶される設定ファイルを用いて、ＭＦＰ１０を使用するユーザ毎に各種設定を変更することができるので、ウェブページに記載される情報をユーザ毎にアレンジすることができる。
【００５２】
次に、図３を参照して、ＭＦＰ１０のＣＰＵ１４により実行される生成印刷処理を説明する。図３は、ウェブページおよび印刷ページを生成する生成印刷処理を示すフローチャートである。なお、生成印刷処理は、キーパッド５２のユーザによる操作によりウェブページおよび印刷ページの生成が指示された場合に実行される処理である。
【００５３】
生成印刷処理では、まず、ＣＰＵ１４は、ＭＦＰ１０へアクセスを行なったＣＰ７０，７１に対してウェブページを公開できるように、これから生成するウェブページに付与するＵＲＬを決定する（Ｓ１）。なお、ＣＰＵ１４は、生成印刷処理が複数人で行なわれる場合には、生成されるウェブページがユーザに応じて変わることが考えられるため、生成印刷処理が実行される度に、ウェブページに付与するＵＲＬをＳ１の処理で決定する。しかし、印刷生成処理が、一人のユーザでしか行なわれない場合には、前回生成したウェブページに、今回生成するウェブページを上書きすれば良い。よって、この場合には、ＣＰＵ１４は、Ｓ１の処理をスキップしても良い。なお、生成印刷処理が一人で行なわれるか否かは、ＣＰＵ１４が、ユーザ設定記憶領域２０ｂに記憶された設定ファイルのユーザ名を参照することで判別できる。
【００５４】
次に、ＣＰＵ１４は、ユーザ名を入力させて、生成印刷処理を実行しているユーザを特定する（Ｓ２）。そして、ＣＰＵ１４は、特定したユーザに対応する表示情報を、表示情報記憶領域１８ａから取得する（Ｓ３）。具体的には、Ｓ３の処理では、ＣＰＵ１４は、特定したユーザに対応する表示情報を、ユーザ設定記憶領域２０ｂに記憶された設定ファイルの使用表示情報から特定し、その特定した表示情報を表示情報記憶領域１８ａから取得する（Ｓ３）。
【００５５】
次に、ＣＰＵ１４は、取得した表示情報を使用して、ウェブページを生成する（Ｓ４）。具体的には、Ｓ４の処理では、ＣＰＵ１４は、Ｓ２の処理で特定したユーザが設定したウェブページ掲載項目、ウェブページ掲載件数を設定ファイルで確認し、それに基づいて、ウェブページの生成に使用する情報を、Ｓ３の処理で取得した表示情報に含まれる更新コンテンツ情報から抽出する。そして、ＣＰＵ１４は、抽出した情報を使用して、ウェブページを生成する（Ｓ４）。
【００５６】
Ｓ４の処理後、ＣＰＵ１４は、生成したウェブページにＳ１の処理で決定したＵＲＬを割り当てた後、そのウェブページをウェブページ記憶領域２０ｃに記憶する（Ｓ５）。そして、ＣＰＵ１４は、ＵＲＬが割り当てられたウェブページがウェブページ記憶領域２０ｃに記憶できたか否かを判定する（Ｓ６）。ＣＰＵ１４は、ＵＲＬが割り当てられたウェブページがウェブページ記憶領域２０ｃに記憶できたと判定した場合には（Ｓ６：Ｙｅｓ）、Ｓ７の処理へ移行する。一方、ＣＰＵ１４は、ＵＲＬが割り当てられたウェブページがウェブページ記憶領域２０ｃに記憶できないと判定した場合には（Ｓ６：Ｎｏ）、Ｓ１６の処理へ移行する。なお、ウェブページ記憶領域２０ｃにウェブページが記憶できない場合としては、ウェブページ記憶領域２０ｃの空き容量がない（少ない）場合や、ウェブページ記憶領域２０ｃへのアクセスができない場合等が例示される。
【００５７】
Ｓ７の処理では、ＣＰＵ１１は、ウェブページに割り当てられたＵＲＬをＱＲコード（登録商標、以下記載を省略）に変換し（Ｓ７）、ウェブページ記憶領域２０ｃに記憶されたウェブページが、設定ファイルの印刷ページ使用枚数以下で印刷できるか否かを判定する（Ｓ８、図２参照）。ＣＰＵ１４は、ウェブページ記憶領域２０ｃに記憶されたウェブページが、印刷ページ使用枚数以下で印刷できないと判定した場合には（Ｓ８：Ｎｏ）、ウェブページの印刷に代えて印刷ページを印刷するＳ１１以降の処理へ移行する。一方、ＣＰＵ１４は、ウェブページ記憶領域２０ｃに記憶されたウェブページが、印刷ページ使用枚数以下で印刷できると判定した場合には（Ｓ８：Ｙｅｓ）、印刷ページの生成を行わず、印刷ページの印刷に代えて（印刷ページの印刷を中止して）、ウェブページを印刷するＳ９以降の処理へ移行する。
【００５８】
Ｓ９の処理では、ＣＰＵ１４は、ウェブページ記憶領域２０ｃからウェブページを取得し、そのウェブページに、Ｓ７の処理で変換したＱＲコードを、即ち、ウェブページに割り当てられたＵＲＬを示すＱＲコードを、印刷ページへの付加に代えて、付加する（Ｓ９）。そして、ＣＰＵ１４は、ＱＲコードが付加されたウェブページを、印刷部５４を使用して印刷用紙に印刷し、この生成印刷処理を終了する。
【００５９】
ここで、図４（ａ），（ｅ）を参照して、ＣＰＵ１４によりＳ９の処理が実行された場合に印刷用紙に印刷されたウェブページ、および印刷されたウェブページに付加されたＱＲコードを使用して、ウェブページ記憶領域２０ｃに記憶されたウェブページにＣＰ７０からアクセスした場合の表示部８２の表示について説明する。なお、図４は、印刷されたウェブページ、印刷された各種印刷ページおよび表示部８２に表示されたウェブページを示した図である。
【００６０】
図４（ａ）は、印刷されたウェブページを示した図であり、図４（ｅ）は、ウェブページにＣＰ７０がアクセスした場合の表示部８２を示した図である。なお、図４（ａ），（ｄ）は、生成印刷処理を実行しているユーザが「一郎」である場合（図２参照）に、印刷用紙に印刷されたウェブページと表示部８２の表示とをそれぞれ示している。
【００６１】
図４（ａ）に示す通り、印刷されたウェブページには、設定ファイルのウェブページ掲載項目に対応して（図２参照）、コンテンツタイトル文字列およびコンテンツ要約文字列が記載されている。また、このウェブページには、設定ファイルのウェブページ掲載件数に対応して（図２参照）、コンテンツタイトル文字列と、そのコンテンツタイトル文字列に対応するコンテンツ要約文字列と、が一組となった情報が、即ち、１つの更新コンテンツ情報に含まれる情報が、１００件記載されている。更に、このウェブページには、ウェブページ記憶領域２０ｃに記憶されたウェブページのＵＲＬを示すＱＲコード１６０が付与されている。よって、ＣＰ７０，７１は、内蔵された小型カメラ８６でＱＲコードを撮影することで、ウェブページ記憶領域２０ｃに記憶されたウェブページへ容易にアクセスすることができる。
【００６２】
このように、ウェブページ記憶領域２０ｃに記憶されたウェブページが、印刷ページ使用枚数以下で印刷できる場合には、使用される印刷用紙の数を抑制した上で、ウェブページを印刷用紙に印刷することができると共に、ＣＰ７０，７１からウェブページへのアクセスも容易化することができる。
【００６３】
次に、図４（ｅ）に示す通り、表示部８２に表示されたウェブページには、印刷されたウェブページと同様に、コンテンツタイトル文字列と、そのコンテンツタイトル文字列に対応するコンテンツ要約文字列と、が一組となった情報が１００件記載されている。また、ウェブページに記載されたコンテンツタイトル文字列には、そのコンテンツタイトル文字列に対応するコンテンツＵＲＬがリンクされている（コンテンツタイトル文字列への下線が、コンテンツＵＲＬがリンクされていることを示している）。よって、ＣＰ７０のユーザは、ウェブページにアクセスした後、コンテンツタイトル文字列を確認した上で、操作部８４を操作してコンテンツタイトル文字列を選択することで、コンテンツタイトル文字列に対応するコンテンツへ容易にアクセスすることができる。
【００６４】
更に、表示部８２に表示されたウェブページには、コンテンツタイトル文字列を素早く探す場合に使用される検索領域１５０が設けられている。この検索領域１５０に、一組となった情報にそれぞれ付与された昇順の番号を入力することで、表示部８２の表示を、入力した番号と一致する一組となった情報、即ち、素早く探したい一組となった情報を中心とした表示に切り換えることができる。
【００６５】
図３の説明に戻る。Ｓ８の処理で、ＣＰＵ１４は、ウェブページ記憶領域２０ｃに記憶されたウェブページが、設定ファイルの印刷ページ使用枚数以下で印刷できないと判定した場合には（Ｓ８：Ｎｏ）、ウェブページの印刷に代えて、コンテンツタイトル文字列とウェブページのＵＲＬを示すＱＲコードとを記載した印刷ページの印刷を行うＳ１１以降の処理へ移行する。具体的には、ＣＰＵ１４は、ウェブページ記憶領域２０ｃに記憶されたウェブページに記載された情報のうち、コンテンツタイトル文字列だけを取得し、印刷ページを生成する（Ｓ１１）。その後、ＣＰＵ１４は、印刷ページに、Ｓ７の処理で変換したＱＲコードを、即ち、ウェブページに割り当てられたＵＲＬを示すＱＲコードを付加する（Ｓ１２）。
【００６６】
そして、ＣＰＵ１４は、生成した印刷ページが、印刷ページ使用枚数以下で印刷できるか否かを判定する（Ｓ１３、図２参照）。ＣＰＵ１４は、印刷ページが、印刷ページ使用枚数以下で印刷できると判定した場合には（Ｓ１３：Ｙｅｓ）、ＱＲコードが付与された印刷ページを、印刷部５４を使用して印刷用紙に印刷し（Ｓ１０）、この生成印刷処理を終了する。
【００６７】
ここで、図４（ｂ）を参照して、Ｓ１３の処理で「Ｙｅｓ」とＣＰＵ１４により判定された場合に印刷用紙に印刷された印刷ページについて説明する。図４（ｂ）は、生成印刷処理を実行しているユーザが「一郎」である場合（図２参照）に、印刷用紙に印刷された印刷ページを示した図である。なお、ウェブページ記憶領域２０ｃに記憶されたウェブページは、Ｓ１３の処理で「Ｙｅｓ」と判定された場合においても、図４（ｅ）で説明したものと同一であるので、説明を省略する。
【００６８】
図４（ｂ）に示す通り、印刷ページには、ウェブページ記憶領域２０ｃに記憶されたウェブページと異なり、ウェブページに記載された情報（１００件）に対応するコンテンツタイトル文字列（１００件）のみが記載されている（ウェブページに記載された情報のうちの一部の情報が記載されている）。ここで、印刷ページに使用できる印刷用紙は、設定ファイルの印刷ページ使用枚数に対応して「２枚」であるが（図２参照）、ＣＰＵ１４は、Ｓ１３の処理で、この２枚の印刷用紙の使用で、コンテンツタイトル文字列の１００件分が印刷できると判定しているので（Ｓ１３：Ｙｅｓ）、印刷用紙２枚に、１００件分のコンテンツタイトル文字列が収まって印刷されている。この印刷ページに印刷されたコンテンツタイトル文字列（ウェブページに記載されたコンテンツタイトル文字列）により、ＭＦＰ１０のユーザは、コンテンツのタイトルの一覧を短時間で大量に確認することができる。
【００６９】
また、この印刷ページには、ウェブページ記憶領域２０ｃに記憶されたウェブページのＵＲＬを示すＱＲコード１６０が付与されている。よって、ＣＰ７０，７１は、内蔵された小型カメラ８６でＱＲコードを撮影することで、ウェブページ記憶領域２０ｃに記憶されたウェブページへ容易にアクセスすることができる。
【００７０】
図３の説明に戻る。Ｓ１３の処理で、ＣＰＵ１４は、生成した印刷ページが、設定ファイルの印刷ページ使用枚数以下で印刷できないと判定した場合には（Ｓ１３：Ｎｏ）、印刷ページ使用枚数を超える印刷ページに（印刷ページ使用枚数内に収まらない印刷ページに）含まれるコンテンツタイトル文字列の件数を算出し（Ｓ１４）、算出した件数を示すメッセージを、印刷ページ使用枚数番目に印刷される印刷ページに、即ち、印刷される最終頁の印刷ページに付加する（Ｓ１５）。その後、ＣＰＵ１４は、メッセージおよびＱＲコードが付加された印刷ページを、印刷部５４を使用して印刷用紙に印刷し（Ｓ１０）、この生成印刷処理を終了する。
【００７１】
ここで、図４（ｃ）を参照して、Ｓ１３の処理で「Ｎｏ」とＣＰＵ１４により判定された場合に印刷用紙に印刷された印刷ページについて説明する。図４（ｃ）は、生成印刷処理を実行しているユーザが「一郎」である場合（図２参照）に、印刷用紙に印刷された印刷ページを示した図である。なお、ウェブページ記憶領域２０ｃに記憶されたウェブページは、Ｓ１３の処理で「Ｎｏ」と判定された場合においても、図４（ｅ）で説明したものと同一であるので、説明を省略する。
【００７２】
図４（ｃ）に示す通り、印刷ページには、図４（ｂ）と同様、コンテンツタイトル文字列のみが記載されている。ここで、印刷ページに使用された印刷用紙は、印刷ページ使用枚数に対応して、２枚となっている（図２参照）。このとき、ＣＰＵ１４は、この２枚の印刷用紙の使用では、ウェブページに記載された情報（１００件）に対応するコンテンツタイトル文字列の全てが、即ち、生成した印刷ページに記載されたコンテンツタイトル文字列の１００件分が、印刷できないと判定しているので（Ｓ１３：Ｎｏ）、印刷用紙２枚に、印刷可能な７０件分のコンテンツタイトル文字列が印刷されている。なお、ＣＰＵ１４は、Ｓ１４の処理で算出した件数を示すメッセージ、即ち、使用枚数の２枚を超える印刷ページに含まれるコンテンツタイトル文字列の件数（残件数）が３０件であることを示すメッセージを、２番目に印刷される印刷ページに（印刷される最終頁の印刷ページに）付加しているので、このメッセージ１６１（印刷できなかったコンテンツタイトル文字列が「３０」件あります）が２枚目の印刷ページの下部に印刷されている。よって、印刷ページ使用枚数に印刷用紙を抑制して印刷ページを印刷しても、ＭＦＰ１０のユーザは、印刷用紙に印刷された件数と残件数とから、ウェブページに記載されたコンテンツタイトル文字列の件数が全部で何件であるかを把握することができる。
【００７３】
なお、この印刷ページにも、図４（ｂ）の場合と同様、ウェブページ記憶領域２０ｃに記憶されたウェブページのＵＲＬを示すＱＲコード１６０が付与されている。
【００７４】
図３の説明に戻る。Ｓ６の処理で、ＣＰＵ１４は、ＵＲＬを割り当てたウェブページがウェブページ記憶領域２０ｃに記憶できないと判定した場合には（Ｓ６：Ｎｏ）、ウェブページの印刷およびＳ１１〜Ｓ１５の処理で生成される印刷ページ（コンテンツタイトル文字列およびウェブページのＵＲＬを示すＱＲコードを記載した印刷ページ）の印刷に代えて、コンテンツタイトル文字列とそのコンテンツタイトル文字列に対応するコンテンツＵＲＬを示すＱＲコードとを記載した印刷ページの印刷を行うＳ１６以降の処理へ移行する。具体的には、ＣＰＵ１４は、Ｓ４の処理で生成したウェブページに記載されたコンテンツタイトル文字列を取得し、印刷ページを生成する（Ｓ１６）。そして、ＣＰＵ１４は、生成された印刷ページに記載されたコンテンツタイトル文字列に対応するコンテンツＵＲＬを更新コンテンツ情報から取得する（Ｓ１７）。
【００７５】
その後、ＣＰＵ１４は、取得したコンテンツＵＲＬをＱＲコードに変換し（Ｓ１８）、そのＱＲコードを、印刷ページに記載されたコンテンツタイトル文字列の各々に対応付けて付加する（Ｓ１９）。このＳ１９の処理により、印刷ページには、コンテンツタイトル文字列に加え、そのコンテンツタイトル文字列に対応するコンテンツＵＲＬを示すＱＲコードが、ウェブページのＵＲＬを示すＱＲコード１６０に代えて記載される。その後、ＣＰＵ１４は、コンテンツタイトル文字列とＱＲコードとが記載された印刷ページを、印刷部５４を使用して印刷用紙に印刷し（Ｓ１０）、この生成印刷処理を終了する。
【００７６】
ここで、図４（ｄ）を参照して、Ｓ６の処理で「Ｎｏ」とＣＰＵ１４により判定された場合に印刷用紙に印刷された印刷ページについて説明する。図４（ｄ）は、生成印刷処理を実行しているユーザが「一郎」である場合（図２参照）に、印刷用紙に印刷された印刷ページを示した図である。なお、ＣＰＵ１４によりＳ６の処理で「Ｎｏ」と判定された場合には、ウェブページ記憶領域２０ｃにウェブページが記憶されない。よって、この場合には、図４（ｅ）に示すウェブページへＣＰ７０，７１からアクセスすることはできない。
【００７７】
図４（ｄ）に示す通り、印刷ページには、図４（ｂ）と同様、コンテンツタイトル文字列のみが記載されている。ここで、設定ファイルの印刷ページ使用枚数は、「２枚」となっているが（図２参照）、実際には印刷ページには、「３枚」の印刷用紙が使用されている。これは、ＣＰ７０，７１からウェブページにアクセスして、１００件分のコンテンツタイトル文字列等を確認することができないので、ＣＰＵ１４は、Ｓ１０の処理で、設定ファイルの印刷ページ使用枚数に拘らず、コンテンツタイトル文字列の１００件分が印刷できる枚数で印刷ページを印刷するからである。
【００７８】
図４（ｄ）に示す通り、印刷ページに記載されたコンテンツタイトル文字列の全てには、そのコンテンツタイトル文字列に対応するコンテンツＵＲＬを示すＱＲコード１６２ａ１〜１６２ａ１００が、ウェブページのＵＲＬを示すＱＲコード１６０に代えて記載されている。よって、生成されたウェブページがウェブページ記憶領域２０ｃに記憶できず、ＣＰ７０，７１からウェブページにアクセスできない場合であっても、印刷ページに記載された、即ち、印刷用紙に印刷されたＱＲコード１６２ａ１〜１６２ａ１００を、内蔵された小型カメラ８６で撮影することで、ＣＰ７０，７１からコンテンツへ容易にアクセスすることができる。
【００７９】
上述した通り、ウェブページに記載された情報をＣＰ７０，７１を用いて確認する時間は、ウェブページに記載された情報と同一の情報を、表示パネル５０にスクロール表示して確認する時間、或いは、表示パネル５０に断片的に固定表示してその固定表示を順次切り換えて確認する時間よりも、通常、短時間となる。また、ウェブページに記載された情報を単位時間当たりに確認できる量は、通常、ＣＰ７０，７１を用いて確認を行なう方が、表示パネル５０を用いて確認を行なうよりも、大量となる。よって、本実施形態のＭＦＰシステム２によれば、ユーザに対し、ウェブページ記憶領域２０ｃに記憶されたウェブページへＣＰ７０，７１からアクセスさせることで、ウェブページに記載された情報、即ち、ユーザ設定記憶領域２０ｂに記憶された設定ファイルに基づいて生成されたコンテンツタイトル文字列等を短時間で大量に確認させることができる。
【００８０】
また、印刷ページに記載されたコンテンツタイトル文字列をＭＦＰ１０のユーザが印刷用紙で確認する時間は、ウェブページに記載された情報の場合と同様、表示パネル５０を用いて同一のコンテンツタイトル文字列を確認する時間よりも、短時間となる。また、コンテンツタイトル文字列を単位時間当たりに確認できる量は、通常、ＣＰ７０，７１を用いて確認を行なう方が、表示パネル５０を用いて確認を行なうよりも、大量となる。よって、ユーザは、印刷用紙に印刷された印刷ページを確認することで、ウェブページに記載されている情報のうち、コンテンツタイトル文字列を短時間で大量に確認することができる。
【００８１】
また、本実施形態のＭＦＰシステム２によれば、ウェブページに記載できる情報は、更新コンテンツ情報に含まれる情報のうち、コンテンツタイトル文字列、コンテンツ更新日時情報、コンテンツ要約文字列の最大３つの情報を設定することができる。一方で、印刷ページに記載される情報は、更新コンテンツ情報に含まれる情報のうち、コンテンツタイトル文字列だけである。よって、ウェブページに記載できる情報は、印刷ページに記載される情報よりも情報量が多い。従って、ユーザは、ＣＰ７０，７１からウェブページにアクセスすることで、印刷ページに記載された情報よりも多量の情報を確認できる一方、印刷ページに記載された情報の情報量を抑制することで、印刷ページの印刷に使用される印刷用紙の枚数を抑制することができる。
【００８２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８３】
本実施形態においては、ＭＦＰ１０は、印刷ページにコンテンツタイトル文字列のみを記載したが、これに限られるものではない。即ち、コンテンツタイトル文字列に加え、印刷ページに、例えば、そのコンテンツタイトル文字列に対応するコンテンツ更新日時情報を記載しても良い。この場合には、印刷ページに記載される情報量を増やすことができる。
【００８４】
更には、ユーザ設定記憶領域２０ｂに記憶された設定ファイルに、印刷ページ掲載項目の欄を設け、その欄に、印刷ページに記載する項目をユーザ毎に設定可能に構成しても良い。この場合には、コンテンツタイトル文字列の印刷ページへの記載に代えて、コンテンツ要約文字列のみを印刷ページに記載したり、或いはコンテンツ更新日時情報を印刷ページに記載することができる。この印刷ページ掲載項目の欄により、印刷ページに記載される情報をユーザ毎にアレンジすることができる。なお、印刷ページにコンテンツ更新日時情報のみを記載した場合でも、ウェブページおよび印刷ページで共通して付与される昇順の番号で、ユーザは、印刷ページに記載されたコンテンツ更新日時情報が、ウェブページの何れの情報に対応するかを容易に判別することができる。
【００８５】
また、本実施形態では、図３に示す生成印刷処理で、Ｓ４の処理で生成したウェブページにＳ１の処理で決定したＵＲＬを割り当てた後、そのウェブページをウェブページ記憶領域２０ｃに記憶したが（Ｓ５）、これに限られるものではない。即ち、Ｓ４の処理で生成したウェブページをウェブページ記憶領域２０ｃに記憶して、その後に、記憶されたウェブページにＳ１の処理で決定したＵＲＬを割り当てても良い。この構成の場合には、ウェブページ記憶領域２０ｃに記憶されたウェブページに対してのみ、即ち、ＣＰ７０、７１からアクセス可能な状態となったウェブページに対してのみ、ＵＲＬを付与することができる。よって、Ｓ１の処理で決定したＵＲＬが割り当てられたウェブページをウェブページ記憶領域２０ｃに記憶できず、そのＵＲＬが無駄になることを防止することができる。
【００８６】
また、本実施形態では、ウェブページを記憶するウェブページ記憶領域２０ｃをＮＶＲＡＭ２０に設けたが、これに限られるものではない。即ち、ウェブページの容量が比較的大きくなることが予想される場合には、ＭＦＰ１０内部にハードディスクドライブを設け、そのハードディスクドライブにウェブページ記憶領域２０ｃを設けても良い。また、インターネット８に接続される外部のサーバに、ウェブページ記憶領域２０ｃを設けても良い。この場合には、ＭＦＰ１０の記憶容量を抑制することができる。
【００８７】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【００８８】
また、本実施形態においては、図３に示す生成印刷処理をＭＦＰ１０のＣＰＵ１４で実行したが、これに限られるものではない。即ち、図３に示す生成印刷処理のうちＳ１０を除く処理を、ＭＦＰ１０と通信可能に接続される制御装置（例えば、パーソナルコンピュータ）で実行し、その後、その制御装置がＭＦＰ１０へ印刷指示を出力する構成とする。そして、印刷指示を受けたＭＦＰ１０が、Ｓ１０の処理を実行するように構成しても良い。この場合には、Ｓ１０の処理のみをＭＦＰ１０で実行させるので、ＭＦＰ１０の処理負担を軽減することができる。
【００８９】
また、本実施形態においては、図３に示す生成印刷処理で、ウェブページが印刷ページ使用枚数以下で印刷できる場合には（Ｓ８：Ｙｅｓ）、印刷ページの生成を行わなかったが、これに限られるものではない。即ち、Ｓ８の処理で「Ｙｅｓ」と判定された場合でも、印刷ページを生成する構成としても良い。ただし、この場合には、印刷ページの生成は行うものの、生成した印刷ページは印刷されず、印刷ページの印刷に代えて、ウェブページが印刷される。
【００９０】
また、本実施形態においては、図４（ｃ）に示すように、印刷ページに、印刷ページ使用枚数を超える印刷ページに含まれるコンテンツタイトル文字列の記載件数を示すメッセージ１６１を付加したが、これに限られるものではない。即ち、印刷ページに付加するメッセージを、記載件数を示さず、印刷ページ使用枚数を超える印刷ページに含まれるコンテンツタイトル文字列が存在する旨のメッセージ（例えば、印刷できなかったコンテンツタイトル文字列があります）としても良い。この場合には、件数を算出する処理、具体的には、図３に示すＳ１４およびＳ１５の処理を簡略化することができる。
【００９１】
また、本実施形態においては、図４（ｃ）に示すように、印刷ページ使用枚数を超える印刷ページに含まれるコンテンツタイトル文字列の記載件数を示すメッセージ１６１を、印刷される最終頁の印刷ページに付加したが、これに限られるものではない。即ち、上述のメッセージを、印刷される最初のページや、印刷される全てのページに付加しても良い。
【００９２】
また、本実施形態においては、ＵＲＬが割り当てられたウェブページがウェブページ記憶領域２０ｃに記憶できないと判定された場合には（Ｓ６：Ｎｏ）、コンテンツタイトル文字列に加え、そのコンテンツタイトル文字列に対応するコンテンツＵＲＬを示すＱＲコード１６２ａ１〜１６２ａ１００を、ウェブページのＵＲＬを示すＱＲコード１６０に代えて印刷ページに記載したが、これに限られるものではない。即ち、ウェブページにアクセスはできないものの、ウェブページに割り当てられたＵＲＬを示すＱＲコード１６０を、コンテンツタイトル文字列、コンテンツＵＲＬを示すＱＲコード１６２ａ１〜１６２ａ１００に加えて印刷ページに記載しても良い。
【図面の簡単な説明】
【００９３】
【図１】本発明の一実施形態におけるＭＦＰシステムの概略を示した図である。
【図２】設定ファイルの内容の一例を示した図である。
【図３】ＭＦＰのＣＰＵにより実行される生成印刷処理を示すフローチャートである。
【図４】印刷されたウェブページ、印刷された各種印刷ページおよび表示部に表示されたウェブページを示した図である。
【符号の説明】
【００９４】
１０              ＭＦＰ（通信装置の一例）
１６ａ            インターネット接続プログラム（関連情報取得手段の一例、関連情報取得ステップの一例）
２０ａ            ＵＲＬ記憶領域（位置情報記憶手段の一例）
２０ｂ            ユーザ設定記憶領域（関連情報設定手段の一例）
２０ｃ            ウェブページ記憶領域（記憶装置の一例）
５０              表示パネル（表示手段の一例）
５２              キーパッド（受付手段の一例、受付ステップの一例）
５４              印刷部（印刷手段の一例）
Ｓ４              生成印刷処理（第１生成手段の一例、第１生成ステップの一例）
Ｓ５              生成印刷処理（記憶手段の一例、割当手段の一例、記憶ステップの一例、割当ステップの一例）
Ｓ６              生成印刷処理（検出手段の一例）
Ｓ８              生成印刷処理（第１判定手段の一例）
Ｓ９              生成印刷処理（第２付加手段の一例）
Ｓ１０            生成印刷処理（第１制御手段の一例、第２制御手段の一例、第３制御手段の一例、第４制御手段の一例、第１制御ステップの一例）
Ｓ１１，Ｓ１６          生成印刷処理（第２生成手段の一例、第２生成ステップの一例）
Ｓ１２            生成印刷処理（第１付加手段の一例、第１付加ステップの一例）
Ｓ１３            生成印刷処理（第２判定手段の一例）
Ｓ１５            生成印刷処理（第３付加手段の一例）
Ｓ１９            生成印刷処理（第４付加手段の一例）
【図１】
2010152793.tif 000003
【図２】
2010152793.tif 000004
【図３】
2010152793.tif 000005
【図４】
2010152793.tif 000006